(57)【要約】 【課題】  上肢や下肢に障害を有する入浴者に対する最適な枕部の配置を可能にすると共にワンタッチ操作で枕部の着脱を可能とした可動枕付きの入浴用機器を提供すること。【解決手段】  背受け部５の長手方向に沿って長孔を形成し、枕部１８に前記長孔に挿通される棒状部材２０の一端部を固着し、前記棒状部材２０に前記枕部１８を前記背受け部５に対して固定状態に保持する枕保持部材２２を移動可能に挿嵌し、前記枕保持部材２２を前記棒状部材２０に外嵌され且つ一端及び他端がそれぞれ前記棒状部材２０及び前記枕保持部材２２に固定される弾性体２４を介して前記背受け部５に圧接することで、前記枕部１８を前記背受け部５に対して固定状態に保持する構成とした。【選択図】  図４
2006280529.tif 000002
【特許請求の範囲】
【請求項１】
介護用入浴装置に使用され入浴者を入退浴させる入浴用機器において、入浴者の頭部を支承する枕部が背受け部に該背受け部の長手方向及び面方向にそれぞれ移動及び回動自在に載置されることを特徴とする可動枕付き入浴用機器。
【請求項２】
枕部を背受け部面に対して回転させる操作のみで、枕部の着脱を可能としたことを特徴とする請求項１記載の可動枕付き入浴用機器。
【請求項３】
背受け部の長手方向に沿って長孔が形成され、枕部には前記長孔に挿通される棒状部材の一端部が固着され、前記棒状部材に前記枕部を前記背受け部に対して固定状態に保持する枕保持部材が移動可能に挿嵌され、前記枕保持部材が前記棒状部材に外嵌され且つ一端及び他端がそれぞれ前記棒状部材及び前記枕保持部材に固定される弾性体を介して前記背受け部に圧接されることで、前記枕部は前記背受け部に対して固定状態に保持されることを特徴とする請求項１又は２記載の可動枕付き入浴用機器。
【請求項４】
背受け部の長手方向に沿って長孔が形成され、枕部には前記長孔に挿通される棒状部材の一端部が固着され、前記棒状部材に枕保持部材が挿嵌固着され、前記枕部は前記枕部の有する弾力特性と前記枕保持部材とによって、又は前記枕保持部材の有する弾力特性によって背受け部に対して固定状態に保持されることを特徴とする請求項１又は２記載の可動枕付き入浴用機器。
【請求項５】
枕保持部材は角部が曲面状又は傾斜面状に成形された略コ字形状を成していることを特徴とする請求項３又は４記載の可動枕付き入浴用機器。
【発明の詳細な説明】
【技術分野】
【０００１】
本発明は、介護用入浴装置に使用され入浴者を入退浴させる入浴用機器、例えば、入浴用車椅子又は入浴用担架等の枕に関するものである。
【背景技術】
【０００２】
下記特許文献１に開示される入浴用担架の枕は、枕の下方に突出するように取り付けられた駒を担架本体に形成された長孔に挿入し、この駒をノブで締め付けることで担架本体に対して固定される構成であり、従って、枕を担架本体に対して移動させる際には、担架本体の裏側に手を回しノブを緩め固定を解除した後、枕を所望の位置に移動させ、再度ノブを締め枕の固定を行うといった煩わしい作業が必要とされていた。
【０００３】
本件出願人は上記の問題点を解決しより容易な操作で枕を所望の位置に移動し固定可能とする為に、下記特許文献２に開示される技術を創出した。即ち、枕裏部から突出された取着体を乗せ体（担架）の上体載置部に形成される長孔に貫通するように挿入し、挿入した取着体に摺動体（スライダー）を外嵌し、次に摺動体を押さえる弾力要素（バネ）を外嵌し、弾力要素のストッパーとなる止着体（ナットと虫螺子）を取着体に螺着する構成と成すことで、枕の位置調節に係る作業が特許文献１に開示される技術と比して容易に行えるよう改良を施した。
【０００４】
しかしながら、特許文献２に開示される枕は乗せ体の長手方向に対しては容易に移動させることができるが、乗せ体面に対して回動自在な構成には成されていない為、脳疾患等により左又は右半身が半身不随となった片麻痺の入浴者等に対して最適な枕位置を提供することができないといった問題点を有していた。
【０００５】
更に、特許文献２に記載される枕の着脱時には止着体を取着体に取り付けたり或いは取り外したりする為の専用工具が必要であり、専用工具を用いずワンタッチ操作で枕を着脱することはできず、故に、乗せ体の清掃作業時等に枕を乗せ体から取り外す作業、及び枕を乗せ体に取り付ける作業に手数がかかり面倒であるといった問題点を有していた。
【特許文献１】特開２０００−１４７３６号
【特許文献２】特開２００１−３１４４７５号
【発明の開示】
【発明が解決しようとする課題】
【０００６】
本発明は、上記諸問題点に鑑みてなされたもので、上肢や下肢に障害を有する入浴者に対する最適な枕部の配置を可能にすると共にワンタッチ操作で枕部の着脱を可能とした可動枕付きの入浴用機器を提供することを目的とするものである。
【課題を解決するための手段】
【０００７】
上記の目的を実現する為、本発明は介護用入浴装置に使用され入浴者を入退浴させる入浴用機器において、入浴者の頭部を支承する枕部が背受け部に該背受け部の長手方向及び面方向にそれぞれ移動及び回動自在に載置されるように構成し、更に枕部を背受け部面に対して回転させる操作のみで、枕部の着脱を可能としたことを特徴とする。
【０００８】
本発明は、背受け部の長手方向に沿って長孔が形成され、枕部には前記長孔に挿通される棒状部材の一端部が固着され、前記棒状部材に前記枕部を前記背受け部に対して固定状態に保持する枕保持部材が移動可能に挿嵌され、前記枕保持部材が前記棒状部材に外嵌され且つ一端及び他端がそれぞれ前記棒状部材及び前記枕保持部材に固定される弾性体を介して前記背受け部に圧接されることで、前記枕部は前記背受け部に対して固定状態に保持されることを特徴とする。
【０００９】
本発明は、背受け部の長手方向に沿って長孔が形成され、枕部には前記長孔に挿通される棒状部材の一端部が固着され、前記棒状部材に枕保持部材が挿嵌固着され、前記枕部は前記枕部の有する弾力特性と前記枕保持部材とによって、又は前記枕保持部材の有する弾力特性によって背受け部に対して固定状態に保持されることを特徴とする。
【００１０】
本発明は、枕保持部材がその角部が曲面状又は傾斜面状に成形された略コ字形状を成していることを特徴とする。  
【発明の効果】
【００１１】
請求項１記載の発明によれば、入浴者の頭部を支承する枕部が背受け部に該背受け部の長手方向及び面方向にそれぞれ移動及び回動自在に載置される構成であるから、例えば、脳疾患等によって左又は右半身が半身不随となった片麻痺の入浴者が入浴を行う場合であっても、介助者は枕部を背受け部に対して手動にて適宜移動及び回動させることによって枕部を迅速且つ容易に最適な位置及び角度に調整することができ、本発明は個々の入浴者に応じた最適な枕部の配置を実現できるものである。又、入浴者は最適な位置及び角度に調整された枕部に頭部を載置することができ、リラックス状態で快適に入浴を行うことができる。
【００１２】
請求項２記載の発明は、枕部を背受け部面に対して回転させる操作のみで枕の着脱を可能としたものであるから、枕部の着脱に際して専用工具を使用する必要性は無く、入浴用機器の取り扱いに不慣れな介助者等であっても極めて容易にワンタッチ操作で枕部を背受け部に取り付けたり、枕部を背受け部から取り外すことが可能であり、従って、入浴用搬送機器の清掃時等に行なわれる枕の取り付け及び取り外し作業に手間が掛らず効率的である。
【００１３】
請求項３記載の発明は、背受け部の長手方向に沿って長孔が形成され、枕部には前記長孔に挿通される棒状部材の一端部が固着され、前記棒状部材に前記枕部を前記背受け部に対して固定状態に保持する枕保持部材が移動可能に挿嵌され、前記枕保持部材が前記棒状部材に外嵌され且つ一端及び他端がそれぞれ前記棒状部材及び前記枕保持部材に固定される弾性体を介して前記背受け部に圧接されることで前記枕部は前記背受け部に対して固定状態に保持される構成であり、請求項４記載の発明は背受け部の長手方向に沿って長孔が形成され、枕部には前記長孔に挿通される棒状部材の一端部が固着され、前記棒状部材に枕保持部材が挿嵌固着され、前記枕部は前記枕部の有する弾力特性と前記枕保持部材との相互作用によって、又は前記枕保持部材の有する弾力特性によって背受け部に対して固定状態に保持される構成であるから、前記いずれの発明も枕部を背受け部に対して移動及び回動自在と成す構成を簡素な構成部材で実現しており、従来技術と比してコストアップとならず経済的である。
【００１４】
請求項５記載の発明によれば枕保持部材は角部が曲面状又は傾斜面状に成形された略コ字形状を成しているから、枕部を背受け部面に対して回転させ枕部を着脱する際に枕保持部材の角部が長孔内周縁に引っ掛かることが無く、枕部を円滑に着脱することができる。
【発明を実施するための最良の形態】
【００１５】
上肢や下肢に障害を有する入浴者に対する最適な枕部の配置を可能にすると共にワンタッチ操作で枕部の着脱を可能とした可動枕付きの入浴用機器を提供するという目的を、背受け部の長手方向に沿って長孔を形成し、枕部には前記長孔に挿通される棒状部材の一端部を固着し、前記棒状部材に前記枕部を前記背受け部に対して固定状態に保持する枕保持部材を移動可能に挿嵌し、前記枕保持部材を前記棒状部材に外嵌され且つ一端及び他端がそれぞれ前記棒状部材及び前記枕保持部材に固定される弾性体を介して前記背受け部に圧接することで前記枕部を前記背受け部に対して固定状態に保持する構成により実現した。
【実施例１】
【００１６】
以下、本発明の実施例１を図１乃至９を参照して説明する。実施例１は入浴者を入退浴させる入浴用機器を、入浴用車椅子１としたものである。図１は背受け部５を所定傾斜位置になした状態の入浴用車椅子１を示す平面図、図２は同入浴用車椅子１の右側面図、図３は同入浴用車椅子１の背面図、図４は図１におけるＡ−Ａ矢視方向の部分断面図、図５は図２におけるＢ−Ｂ矢視方向の部分断面図、図６は図５における枕部１８を背受け部５に対して回転させた状態を示す部分断面図、図７は枕保持部材２２の形状を示す断面図であり、（ａ）は角部２３ｂを曲面状に成形した断面図であり、（ｂ）は角部２３ｂを傾斜状に成形した断面図である。
【００１７】
入浴用車椅子１は、前後左右に計四輪のキャスターを有し床面を走行可能な平面視略Ｈ字形状の台車枠２からなる台車部３と、下端部が台車枠２に傾動手段８を介して傾動可能に軸着される背受け部５と、背受け部５下部に固着される座席部６と、座席部６の先部に回動固定可能に軸着される下肢受け部７を主たる構成要素としている。
【００１８】
台車枠２は左右に平行配置され前後端にそれぞれキャスターが取着されたパイプ２ａ・２ｂと、パイプ２ａ・２ｂの中間位置より後方の位置にて両パイプ２ａ・２ｂを横架状に連結するパイプ２ｃとから構成され、台車枠２全体は平面視略Ｈ字形状をなしている。
【００１９】
図１に示すように背受け部５は不図示の背受け枠にＦＲＰ材質から成る表側被覆部材９及び裏側被覆部材１０とが螺子等の部材を介して接合形成され、背受け部５下端の左右位置から側面視略Ｌ字形状の背受け支持部材２６・２６が下方に向かって延出するように配設され、背受け支持部材２６・２６の各先端は台車枠２を構成する前記左・右パイプ２ａ・２ｂ内側位置に支軸４にて軸着されている（図２及び３参照）。背受け部５は支軸４を支点として所定起立位置（図２中、一点鎖線で部分的に示される背受け部５の位置）と所定傾斜位置（図２中実線で示される背受け部５の位置）との間を傾動可能になされている（傾動手段８）。又、図示及び説明は省略するが、入浴用車椅子１には背受け部５を前記所定起立位置或いは前記所定傾斜位置に固定維持するロック機構が設けられている。
【００２０】
図２及び３に示すように裏側被覆部材１０の左右上部にはそれぞれ略直角三角形状の突出部１０ａが形成され、該両突出部１０ａ間に亘って介助者等が把持し入浴用車椅子１の移動操作を行う操作ハンドル２７が架設されている。又、裏側被覆部材１０と操作ハンドル２７との間であって、背受け部５の左側上方には所定起立位置及び所定傾斜位置における背受け部５の固定維持を解除するロック解除手段２８としてのロック解除レバー２９が設けられている（図３参照）。
【００２１】
尚、本発明の本筋とは直接関係ないので詳細な説明は省略するが、前記ロック解除レバー２９は背受け部５に鉛直方向に回動可能に取着されており、操作ハンドル２７とロック解除レバー２９とは介助者が両構成部材を同時に把持できる程度の離間距離をあけて平行配置されている。前記両構成部材を同時に把持するとロック解除レバー２９が操作ハンドル２７に接近する方向へ回転することで前記ロック機構による背受け部５の所定起立位置或いは所定傾斜位置における固定維持が解除され、背受け部５の前後傾動が開始可能となる。背受け部５を所定位置にまで傾動させた後、ロック解除レバー２９を手放すと、背受け部５は所定位置にて固定維持されるように前記ロック機構とロック解除手段２８が連係構成されている。
【００２２】
又、図３に示すように背受け部５左右上部に側方に向かって背受け部５から突出して配設されるロックピン３０・３０を同期して進退操作するロックピン操作レバー３１が裏側被覆部材１０と操作ハンドル２７の間に背受け部５に対して鉛直方向に回動可能に取着されている。上述したロック解除レバー２９と同様に操作ハンドル２７とロックピン操作レバー３１とは介助者が両構成部材を同時に把持できる程度の離間距離をあけて平行配置されており、ロックピン操作レバー３１は背受け部５の内部にてワイヤー等のリンク部材を介して左右ロックピン３０・３０に連結されており、操作ハンドル２７とロックピン操作レバー３１を同時に把持すると、該操作レバー３１の回転作動によって左右ロックピン３０・３０が同期して背受け部５の内方向に退入作動するように構成されている。
【００２３】
図１及び２に示すように前記表側被覆部材９には該部材９の左右及び下部に形成される平坦面１１（図１及び２参照）から隆起すると共に表側被覆部材９の短手方向に湾曲状に中央隆起部１２が形成されている。前記中央隆起部１２の大半面に沿って軟質材質のマット部材１３が当着されており（図１参照）、マット部材１３は座席部６に着座する一般的な体格の入浴者の頸部から頭部に亘る部位に相当する箇所に当着される頭頸側マット部１３ａと、該マット１３ａの下方に連続して入浴者の背中から両脇腹に亘る部位に相当する箇所に当着される背中側マット部１３ｂと、該マット部１３ｂの下方に連続して入浴者の腰部に相当する箇所に当着される腰側マット部１３ｃとを有している。
【００２４】
前記マット部材１３は該部材１３の隅部にナベ小螺子５４にて取着されたゴム材質の固定用グリップ４７を介して表側被覆部材９面に着脱自在に止着される（例えば、図５参照）。そして、頭頸側マット部１３ａ裏面には板状部材１４が四本の皿螺子１５にて取着されており（図５参照）、頭頸側マット部１３ａ及び板状部材１４それぞれの対応する位置には略同形状のマット長孔１６及び長孔１７が連通状に形成されている（図４参照）。
【００２５】
枕部１８は頭頸側マット部１３ａ上に背受け部５の長手方向に移動自在に且つ背受け部５の面方向に回動自在に載置されている。頭頸側マット部１３ａの当着面に対応する表側被覆部材９の中央領域部には後述する枕部１８を頭頸側マット部１３ａに固定状態に保持する枕保持部材２２等の構成部材を収容する窪み部３７（図４参照）が長手方向に向かって形成されている。枕部１８には、該部１８の上側内方から枕部１８裏面方向に向かって設けられると共にマット長孔１６に挿通され頭頸側マット部１３ａの下面近傍にまで突出した取付金具１９が固着されている。取付金具１９下面に形成される凹部１９ａには二本の棒状部材２０・２０（枕取付螺子２１・２１）が枕部１８の左右方向に並列して固着され、前記二本の枕取付螺子２１の軸部２１ａに断面視略コ字形状の枕保持部材２２（コ字状金具２３）が軸部２１ａ方向に移動自在に挿嵌されている。図４及び図５に示すようにコ字状金具２３は上面２３ａが板状部材１４下面と当接し且つその長手方向辺が枕部１８の左右を指向する態様で軸部２１ａに挿嵌される。
【００２６】
各軸部２１ａには該軸部２１ａに外嵌され且つ一端及び他端がそれぞれ枕取付螺子２１の頭部２１ｂ及び枕保持部材２２に固定された弾性体２４（圧縮コイルバネ２５）が設けられている。従って、枕部１８はコ字状金具２３が二本の圧縮コイルバネ２５・２５の弾性力によって板状部材１４の下面方向へ圧接されることにより、頭頸側マット部１３ａに対して固定状態に保持される。尚、前記圧縮コイルバネ２５には枕部１８にかかる自重等によって枕部１８が頭頸側マット部１３ａに対して不必要に移動等しないように適正な弾力特性を有するバネを選定している。
【００２７】
前記コ字状金具２３の長手方向辺の寸法はマット長孔１６及び長孔１７の短手方向幅の寸法より大きく、且つその短手方向辺の寸法はマット長孔１６及び長孔１７の短手方向幅の寸法より小さくなるよう設計されている。更に後述する枕部１８の取り付け及び取り外しの際に、長孔１７の周縁にコ字状金具２３の角部２３ｂが引っ掛かり枕部１８の円滑な取り付け及び取り外し操作が妨害されることがないようコ字状金具２３の両角部２３ｂ・２３ｂは曲面状に成形（図７（ａ）参照）されている。
【００２８】
尚、前記両角部２３ｂは図７（ｂ）に示すように傾斜面状となるように成形しても勿論良い。枕保持部材２２全体の形状も略コ字形（コ字状金具２３）に限定されるものではなく、更に、取付金具１９に固着される棒状部材２０（枕取付螺子２１）の本数も二本とせず拡径サイズの棒状部材を一本だけ採用しても良く、要は枕保持部材２２上面が弾性体２４（圧縮コイルバネ２５）の弾性力によって板状部材１４下面に均等に圧接され枕部１８を固定状態に保持可能であれば枕保持部材２２の形状及び棒状部材２０の本数等は如何なる態様であっても良い。
【００２９】
次に、入浴用車椅子１の枕部１８の作用について説明する。枕部１８を背受け部５の長手方向に移動させる場合及び背受け部５に対して枕部１８を回転させる場合は、板状部材１４の下面に作用するコ字状金具２３の圧接力を上回る程度の力を枕部１８に付与し手動にて枕部１８を所望方向にそれぞれ移動及び回転させればよく、入浴用車椅子１の取り扱いに不慣れな介助者等であっても極めて容易に枕部１８を入浴者の体型や病状に応じて適宜移動及び回転させることが可能である。
【００３０】
図５中、一点鎖線で示す枕部１８及びコ字状金具２３は実線で示す枕部１８を背受け部５に対して下方向（矢視Ｃ方向）に移動させた後の状態を示すものである。背受け部５の長手方向（上及び下方向）に対する枕部１８の移動は枕部１８の取付金具１９がマット長孔１６の上側内壁面１６ａに当接する位置（以下、上限位置と称呼する）と下側内壁面１６ｂに当接する位置の範囲で可能とされる。
【００３１】
枕部１８を背受け部５から取り外す場合には、背受け部５に対して略上限位置にある枕部１８を右廻り方向（図５中の矢視Ｄ方向）へ略９０°回転させ、マット長孔１６及び長孔１７の長手方向中心線とコ字状金具２３の長手方向中心線とが略一致する状態（図６中、実線で示す枕部１８の状態）に成し、コ字状金具２３全体が前記両長孔を通過可能な位置にまで枕部１８を幾分下方向へ移動（例えば、図６おいて、コ字状金具２３が一点鎖線で示す位置に至るよう枕部１８を下方移動）させる。
【００３２】
枕部１８を下方向へ移動しコ字状金具２３の上面２３ａと板状部材１４下面とが非接触状態に至ると同時にコ字状金具２３は圧縮コイルバネ２５の弾性力によって取付金具１９方向に押し上げ付勢され、枕部１８を背受け部５から取り外すことが可能になる。尚、枕部１８を下方向へ移動させた場合に、長孔１７が形成される周辺の板状部材１４下面とコ字状金具２３の上面２３ａとが若干接触状態とされていた場合であってもコ字状金具２３の両角部２３ｂが上述したように曲面状に成形されているので、角部２３ｂが長孔１７の長手方向内周縁に引っ掛かることなく、圧縮コイルバネ２５の弾性力によってコ字状金具２３が取付金具１９方向に押し上げ付勢され円滑に枕部１８の取り外し作業が行えることになる。
【００３３】
次に、枕部１８を背受け部５に取り付けする場合の作用について説明する。例えば、コ字状金具２３が図６中の一点鎖線で示される位置・方向を向くように枕部１８を頭頸側マット部１３ａに対して押し当て、この押し当て状態を保持しつつ手動にて枕部１８を左廻り方向（図６中の矢視Ｅ方向）へ回転させる操作を行うだけで枕部１８を背受け部５に固定状態と成すことができる。前述したようにコ字状金具２３の両角部２３ｂは曲面状に成形されているので、枕部１８を左廻り方向へ回転させる際にも両角部２３ｂが長孔１７の長手方向内周縁に引っ掛かり枕部１８の回転が妨げられることはなく、円滑に枕部１８の取り付け作業が行える。
【００３４】
尚、上述した枕保持部材２２の両角部２３ｂを曲面状又は傾斜面状に成形する代替として、図示は省略するが板状部材１４下面と長孔１７の長手方向内周壁とで形成される角部を曲面状又は傾斜面状に加工するように構成してもよい。
【００３５】
続いて、実施例１の入浴用車椅子１を用いて入浴者を入浴させる浴槽３２について説明する。浴槽３２には貯湯槽３３が一体的に形成され、浴槽３２の一側方に開口部３４が形成される。浴槽３２の開口部３４を入浴者が着座した入浴用車椅子１の背受け部５で閉塞し、貯湯槽３３から浴槽３２へ不図示の湯水移送手段を介して湯水の移送を行うことにより入浴者を入浴状態にさせる。図８に浴槽３２を開口部３４方向から見た斜視図、図９に浴槽３２を開口部３４方向から見た正面図を示す。
【００３６】
前記開口部３４は、浴槽３２の両側壁３２ａ・３２ｂの内側面に開口部３４側から浴槽３２の奥側方向に向かって傾斜状に形成された内側壁３２ａａ・３２ｂｂと底壁３２ｃとで構成される接合面３５を有し、該接合面３５には入浴用車椅子１の前記平坦面１１ａ・１１ｂ・１１ｃが当接可能となっている。
【００３７】
浴槽３２の接合面３５より前方向に突出して形成された側壁３２ａ・３２ｂの内側上方位置にそれぞれ略Ｌ字形状の補強部材３６が取着され、該左右の補強部材３６にはそれぞれ入浴用車椅子１の背受け部５上部の左右位置から突出されたロックピン３０・３０が挿脱可能な透孔３８が穿設される。
【００３８】
前記接合面３５の周縁には、接合面３５に沿って接合面３５と入浴用車椅子１の背受け部５の平坦面１１との水密状態を維持する為のゴム性のシール材３９が貼着される。又、底壁３２ｃの内側には、浴槽３２の開口部３４と反対側位置に段部４０が形成される。段部４０を形成することにより浴槽３２の容積を減少させることができ、貯湯槽３３から浴槽３２へ移送する湯水の省湯量化が図れる。
【００３９】
浴槽３２と、入浴用車椅子１の背受け部５との固定は、以下の二つの手段により行う。一つは、浴槽３２の側壁３２ａ・３２ｂ上部と入浴用車椅子１の背受け部５の左右側上部を固定する第一の固定手段４１であり、もう一つは浴槽３２の底壁３２ｃと入浴用車椅子１の背受け部５の下部を固定する第二の固定手段４２である。
【００４０】
第一の固定手段４１は、入浴用車椅子１側に設けられる前記ロックピン３０と、浴槽３２側に設けられる前記透孔３８とから構成される。第二の固定手段４２は、底壁３２ｃの下方外面に固着された伸縮自在なロッドを有する電動アクチュエーター４３と、該ロッドの先端部と底壁３２ｃの端面とに回動可能に軸着される押圧片４４と、背受け部５の骨格を構成する背受け枠の下部中央に螺着され前記押圧片４４の押圧を受け止める受止部材（図示省略）とから構成される。
【００４１】
従って、入浴用車椅子１を浴槽３２の内方所定位置にまで進入させると、ロックピン３０が透孔３８に自動的に嵌入し、入浴用車椅子１の背受け部５の上部と浴槽３２上部とが固定される。続いて、電動アクチュエーター４３のロッドの伸長作動を開始すると、押圧片４４の先端部が左回転（背受け部５側に回転）し受止部材に当接する。更に、ロッドの伸長作動を行うと、押圧片４４により前記受止部材が押圧され、浴槽３２の底壁３２ｃに入浴用車椅子１の背受け部５の下部が押圧固定される。上述した第一の固定手段４１と第二の固定手段４２とにより浴槽３２の開口部３４が入浴車椅子１の背受け部５で閉塞されることになる。
【００４２】
上述した入浴用車椅子１を用いて、入浴者を浴槽３２に入浴させる場合、介助者は、先ず貯湯槽３３へ湯水を所定量貯湯する。介助者は、入浴者が搬送される他の福祉機器を本発明の入浴用車椅子１の近傍へ停車させ、入浴者を入浴用車椅子１へ移乗させる。尚、移乗時には、背受け部５は所定起立位置（図２中、一点鎖線で示す背受け部５の位置）に設定されている。
【００４３】
ロック解除レバー２９と操作ハンドル２７を同時に把持し、背受け部５のロックを解除し、支軸４を支点にして所定起立位置にある背受け部５を所定傾斜位置にまで後傾動させロックする。
【００４４】
介助者は操作ハンドル２７を掴んで、入浴用車椅子１を床面４５上を走行させる。入浴用車椅子１を浴槽３２の開口部３４付近に配置した後、開口部３４方向に延出し側壁３２ａ・３２ｂの内側に沿って平行状に取着されたガイドレール４６・４６に台車枠２を当接させながら、入浴用車椅子１を開口部３４側から浴槽３２内へ進入させる。
【００４５】
この時、台車部３は、底壁３２ｃの外部下方に位置し、入浴者の載置される座席部６及び下肢受け部７が浴槽３２内に位置する。下肢受け部７は背受け部５の後傾動に伴って持上げされた状態であるので、浴槽３２の内方に挿入された場合にも底壁３２ｃに形成された段部４０に衝突することはない。
【００４６】
入浴用車椅子１を浴槽３２の内方所定位置にまで進入させると、ロックピン３０が透孔３８に嵌入し、入浴用車椅子１の背受け部５上部と浴槽３２上部とが固定される。次に、電動アクチュエーター４３のロッドを伸長作動させ、押圧片４４にて前記受止部材を押圧すると、背受け部５の平坦面１１ａ・１１ｂ・１１ｃが接合面３５に当接し、浴槽３２の開口部３４が入浴用車椅子１の背受け部５で閉塞される。貯湯槽３３から浴槽３２へ不図示の湯水移送手段を用いて湯を移送し、入浴者を入浴させる。
【００４７】
入浴が完了し入浴者を退浴させる場合、まず浴槽３２内の湯水を浴槽３２外へ排出する。湯水排出作動により浴槽３２内の水位が減少し、水位が浴槽３２に設けられる不図示の水位センサの高さ位置未満になると、電動アクチュエーター４３のロッドの収縮動が許容可能となるので、介助者は、ロッドを収縮動させ、押圧片４４による前記受止部材の押圧固定を解除し、浴槽３２の底壁３２ｃと入浴用車椅子１の背受け部５下部との固定を解除する。
【００４８】
次に、入浴用車椅子１に具備されるロックピン操作レバー３１と操作ハンドル２７とを同時に把持し、左右のロックピン３０・３０を透孔３８・３８から同時に抜脱し、浴槽３２の側壁３２ａ・３２ｂ上部と入浴用車椅子１の背受け部５の左右側上部との固定を解除し、入浴用車椅子１を浴槽３２内から退出させる。介助者は、ロック解除レバー２９を操作し所定傾斜位置にある背受け部５を所定起立位置にまで復帰作動させた後、入浴用車椅子１から他の福祉機器へ入浴者を移乗させ、入浴を完了する。
【実施例２】
【００４９】
次に、本発明の実施例２を図１０に示す。図１０は背受け部５の一部分と枕部１８の構成を示す部分断面図である。尚、図１０において図４と同一又は同等の構成要素については、同一符号を付記して、特に説明を要する場合を除いて構成要素の説明は省略する。実施例２は実施例１に記載した入浴用車椅子１において、枕部１８下面に伸縮自在で適正な弾力特性を有する弾性部材４８（例えば、ゴム状素材）を取着し、更に棒状部材２０に対する所定位置に枕保持部材２２を挿嵌固着し、弾性体２４を棒状部材２０から取り除いた構成である。実施例２は板状部材１４下面に枕保持部材２２を当接させた状態で枕部１８下面の弾性部材４８の弾性力を利用して枕部１８を頭頸側マット部１３ａ上面に圧接することで枕部１８を固定状態に保持する形態である。
【実施例３】
【００５０】
本発明の実施例３を図１１に示す。図１１は背受け部５の一部分と枕部１８の構成を示す部分断面図である。尚、図１１において図４と同一又は同等の構成要素については、同一符号を付記して、特に説明を要する場合を除いて構成要素の説明は省略する。実施例３は実施例１に記載した入浴用車椅子１において、弾性体２４を棒状部材２０から取り除き、枕保持部材２２に板材料を成形した適正な弾力特性を有する板バネ４９を採用し、該板バネ４９を棒状部材２０に対する所定位置に挿嵌固着した構成である。板バネ４９は板状部材１４下面に向かって弾性力を作用させる部材であり、その形状は前記作用を奏するものであれば如何なる形状であってもよい。実施例３では板バネ４９自体の保有する弾性力によって該板バネ４９を板状部材１４下面に圧接することで枕部１８を固定状態に保持する形態である。
【実施例４】
【００５１】
本発明の実施例４を図１２に示す。実施例４は入浴用機器を入浴用担架５０としたものである。図１２に入浴用担架５０の右側面図を示す。入浴用担架５０の構成等に関しては、本件出願人が以前に創出した技術等（一例を挙げると、特開２００１−９５８８４号公報）にて公知となっている為、詳細な説明は省略するが、入浴用担架５０は仰臥姿勢の入浴者の背中部を支持する背受け部５と、臀部を支持する臀受け部５１と、大腿部を支持する大腿受け部５２と、脚部を支持する脚受け部５３とに四分割された骨格で形成されており、枕部１８は背受け部５に背受け部５の長手方向及び面方向に対して移動及び回動自在に載置される。枕部１８を背受け部５に対して移動及び回動自在に載置する構成は図示を省略するが、実施例１乃至３に記載した構成と略同等の構成を適用することが可能である。
【００５２】
本発明は上述した実施例１乃至４で述べた実施態様に限定されるものではなく、本発明の趣旨を逸脱しない範囲において適宜設計変更できることは言うまでもない。
【産業上の利用可能性】
【００５３】
本発明は、介護用入浴装置に使用され入浴者を搬送する入浴用車椅子又は入浴用担架等の入浴用搬送機器に適用できる。
【図面の簡単な説明】
【００５４】
【図１】本発明の実施例１に係る背受け部を所定傾斜位置になした状態の入浴用車椅子１を示す平面図である。
【図２】本発明の実施例１に係る入浴用車椅子の右側面図である。
【図３】本発明の実施例１に係る入浴用車椅子の背面図である。
【図４】図１におけるＡ−Ａ矢視方向の部分断面図である。
【図５】図２におけるＢ−Ｂ矢視方向の部分断面図である。
【図６】図５における枕部を背受け部に対して回転させた状態を示す部分断面図である。
【図７】本発明の枕保持部材の形状を示す断面図であり、（ａ）は角部を曲面状に成形した断面図であり、（ｂ）は角部を傾斜状に成形した断面図である。
【図８】浴槽を開口部方向から見た斜視図である。
【図９】浴槽を開口部方向から見た正面図である。
【図１０】本発明の実施例２に係る入浴用車椅子の背受け部と枕部の構成を示す部分断面図である。
【図１１】本発明の実施例３に係る入浴用車椅子の背受け部と枕部の構成を示す部分断面図である。
【図１２】本発明の実施例４に係る入浴用担架の右側面図である。
【符号の説明】
【００５５】
１    入浴用車椅子
５    背受け部
１６    マット長孔
１７    長孔
１８    枕部  
２０    棒状部材
２１    枕取付螺子
２２    枕保持部材
２３    コ字状金具
２３ａ  角部
２４    弾性体
２５    圧縮コイルバネ
５０    入浴用担架
【図１】
2006280529.tif 000003
【図２】
2006280529.tif 000004
【図３】
2006280529.tif 000005
【図４】
2006280529.tif 000006
【図５】
2006280529.tif 000007
【図６】
2006280529.tif 000008
【図７】
2006280529.tif 000009
【図８】
2006280529.tif 000010
【図９】
2006280529.tif 000011
【図１０】
2006280529.tif 000012
【図１１】
2006280529.tif 000013
【図１２】
2006280529.tif 000014